(57)【特許請求の範囲】
【請求項１】
第１半体と、第２半体と、を備えた浄水器バンド部用ロック部材であって、
前記第１半体は、上面が開放された第１ケースを少なくとも備え、該第１ケースの底面に第１挿通孔が形成され、
前記第２半体は、上面が開放された第２ケースを少なくとも備え、該第２ケースの底面に第２挿通孔が形成され、
前記第１ケースの一側壁の上縁と、前記第２ケースの一側壁の上縁とが連結部で枢着されて第１ケースと第２ケースとが該連結部を回動軸にして互いに回動可能となされ、
前記第１半体に第１係合部が形成され、前記第２半体に、前記第１係合部と係合し得る第２係合部が形成されていることを特徴とする浄水器バンド部用ロック部材。
【請求項２】
第１半体と、第２半体と、を備えた浄水器バンド部用ロック部材であって、
前記第１半体は、上面が開放された第１収容ケース部と、上面が開放された第１筒体半体部と、前記第１筒体半体部の底面に形成された第１挿通孔と、を備え、
前記第２半体は、上面が開放された第２収容ケース部と、上面が開放された第２筒体半体部と、前記第２筒体半体部の底面に形成された第２挿通孔と、を備え、
前記第１収容ケース部の一側壁の上縁と、前記第２収容ケース部の一側壁の上縁とが連結部で枢着されて第１収容ケース部と第２収容ケース部とが該連結部を回動軸にして互いに回動可能となされ、
前記第１半体に第１係合部が形成され、前記第２半体に、前記第１係合部と係合し得る第２係合部が形成されていることを特徴とする浄水器バンド部用ロック部材。
【請求項３】
前記第１係合部が、前記第１半体の第１収容ケース部に形成され、前記第２係合部が、前記第２半体の第２収容ケース部に形成され、
さらに、前記第１半体の第１筒体半体部に第３係合部が形成されるとともに、前記第２半体の第２筒体半体部に、前記第３係合部と係合し得る第４係合部が形成されている請求項２に記載の浄水器バンド部用ロック部材。
【請求項４】
前記連結部を回動軸にして前記第１半体と前記第２半体とを互いの上面開放面を重ね合わせたときに、前記第３係合部と前記第４係合部とが離脱不能に係合され得るものとなされている請求項３に記載の浄水器バンド部用ロック部材。
【請求項５】
前記連結部を回動軸にして前記第１半体と前記第２半体とを互いの上面開放面を重ね合わせたときに、前記第１係合部と前記第２係合部とが離脱不能に係合され得るものとなされている請求項１〜４のいずれか１項に記載の浄水器バンド部用ロック部材。
【請求項６】
前記連結部は、前記上縁における長さ方向の一端側の一部に設けられた第１連結部と、前記上縁における長さ方向の他端側の一部に設けられた第２連結部とからなり、
前記第１連結部と前記第２連結部は、互いに離間して配置され、
さらに板状の摘まみ部を備え、該摘まみ部の一端側は、前記第１連結部に連結されると共に、前記摘まみ部の他端側は、前記第２連結部に連結されており、
前記摘まみ部を引っ張ることにより前記第１連結部および前記第２連結部が破断し得るものとなされ、これにより前記第１半体の上縁と前記第２半体の上縁との連結状態を解除し得るものとなされている請求項１〜５のいずれか１項に記載の浄水器バンド部用ロック部材。
【請求項７】
前記第１連結部および前記第２連結部における第１半体側に該第１半体の上縁に沿ってそれぞれ複数個の第１微細孔が形成され、前記第１連結部および前記第２連結部における第２半体側に該第２半体の上縁に沿ってそれぞれ複数個の第２微細孔が形成されている請求項６に記載の浄水器バンド部用ロック部材。
【請求項８】
前記第１半体および前記第２半体が、透明樹脂又は半透明樹脂で形成されている請求項１〜７のいずれか１項に記載の浄水器バンド部用ロック部材。
【発明の詳細な説明】
【技術分野】
【０００１】
本発明は、浄水器のハウジングのバンド部をロックしてバンド部を開封することができないようにするロック部材に関する。
【０００２】
なお、本明細書および特許請求の範囲において、「上面」、「底面」、「側壁」、「上縁」等の各部に関する語は、図１に示す展開状態（即ち第１半体の重ね合わせ面および第２半体の重ね合わせ面を上面に位置せしめた展開状態）にあるロック部材について呼称したものである。
【背景技術】
【０００３】
浄水器のカートリッジは、水道水中の不純物等を除去しているので、定期的に新品のカートリッジに交換することが必要となる。このような交換時期が来たときに、ハウジングとカートリッジが別々になっている浄水器では、例えば、使用者自身でハウジングを開けて中のカートリッジを取り出して新品のカートリッジを装填するということも可能であり、実際にこのような浄水器も多数存在する（特許文献１参照）。
【先行技術文献】
【特許文献】
【０００４】
【特許文献１】特開２００４−１４１８７２号公報
【発明の概要】
【発明が解決しようとする課題】
【０００５】
しかしながら、使用者自身でカートリッジの交換を行う場合には、飲食店、個人の自宅等、浄水器の使用現場においてそのままカートリッジの交換を行うことになるので、その際に異物等が混入する可能性がある。
【０００６】
そこで、出願人は、カートリッジの交換時期が来たときに、カートリッジ、ハウジングを含む浄水器ごと使用現場から回収し、その使用現場には、工場等において高度に管理された環境下（クリーンルーム等）で新品のカートリッジがハウジング内に装填された新品の浄水器を設置する一方、前記使用現場から回収した回収浄水器は、工場等に持ち帰り、異物等の混入を十分に排除できる高度に管理された環境下（クリーンルーム等）で、ばらしたハウジング等に洗浄、乾燥、検品等を実施した上で、再び新品のカートリッジをハウジング内に装填し、前記ばらしたハウジングを組み付けてバンド部で締め付け固定して新品の浄水器を構成するものとし、この新品の浄水器をカートリッジの交換時期が来た新たな使用現場等に持って行って設置する、ということを実施している。
【０００７】
上記交換手法は、手間がかかる面はあるものの、工場等においてハウジングをばらして洗浄等を行うので、ハウジングの劣化や不具合箇所等を発見して対応することができる上に、何よりも、異物等の混入を十分に排除できる等、浄水器全体の高い品質保証を確立できて、飲用者に対して高品質の浄水を安定して提供できる、というメリットがある。
【０００８】
しかるに、使用者が、何らかの意図で、或いは単なる好奇心等により、バンド部による締め付け固定を解除してハウジングを開けてしまう（ハウジング本体と蓋体とを分離する）ようなことがあると、再組み立てが適切に実施されないことで水漏れの原因になったり、或いはハウジングを開ける場所が高度に管理された環境ではないために、異物等の混入による品質低下が生じる場合があることが懸念される。
【０００９】
本発明は、かかる技術的背景に鑑みてなされたものであって、浄水器のハウジングのバンド部をロックしてバンド部を開封できないようにすることができて、飲用者に対して高品質の浄水を安定して提供することを可能ならしめる浄水器バンド部用ロック部材を提供することを目的とする。
【課題を解決するための手段】
【００１０】
前記目的を達成するために、本発明は以下の手段を提供する。
【００１１】
［１］第１半体と、第２半体と、を備えた浄水器バンド部用ロック部材であって、
前記第１半体は、上面が開放された第１ケースを少なくとも備え、該第１ケースの底面に第１挿通孔が形成され、
前記第２半体は、上面が開放された第２ケースを少なくとも備え、該第２ケースの底面に第２挿通孔が形成され、
前記第１ケースの一側壁の上縁と、前記第２ケースの一側壁の上縁とが連結部で枢着されて第１ケースと第２ケースとが該連結部を回動軸にして互いに回動可能となされ、
前記第１半体に第１係合部が形成され、前記第２半体に、前記第１係合部と係合し得る第２係合部が形成されていることを特徴とする浄水器バンド部用ロック部材。
【００１２】
［２］第１半体と、第２半体と、を備えた浄水器バンド部用ロック部材であって、
前記第１半体は、上面が開放された第１収容ケース部と、上面が開放された第１筒体半体部と、前記第１筒体半体部の底面に形成された第１挿通孔と、を備え、
前記第２半体は、上面が開放された第２収容ケース部と、上面が開放された第２筒体半体部と、前記第２筒体半体部の底面に形成された第２挿通孔と、を備え、
前記第１収容ケース部の一側壁の上縁と、前記第２収容ケース部の一側壁の上縁とが連結部で枢着されて第１収容ケース部と第２収容ケース部とが該連結部を回動軸にして互いに回動可能となされ、
前記第１半体に第１係合部が形成され、前記第２半体に、前記第１係合部と係合し得る第２係合部が形成されていることを特徴とする浄水器バンド部用ロック部材。
【００１３】
［３］前記第１係合部が、前記第１半体の第１収容ケース部に形成され、前記第２係合部が、前記第２半体の第２収容ケース部に形成され、
さらに、前記第１半体の第１筒体半体部に第３係合部が形成されるとともに、前記第２半体の第２筒体半体部に、前記第３係合部と係合し得る第４係合部が形成されている前項２に記載の浄水器バンド部用ロック部材。
【００１４】
［４］前記連結部を回動軸にして前記第１半体と前記第２半体とを互いの上面開放面を重ね合わせたときに、前記第３係合部と前記第４係合部とが離脱不能に係合され得るものとなされている前項３に記載の浄水器バンド部用ロック部材。
【００１５】
［５］前記連結部を回動軸にして前記第１半体と前記第２半体とを互いの上面開放面を重ね合わせたときに、前記第１係合部と前記第２係合部とが離脱不能に係合され得るものとなされている前項１〜４のいずれか１項に記載の浄水器バンド部用ロック部材。
【００１６】
［６］前記連結部は、前記上縁における長さ方向の一端側の一部に設けられた第１連結部と、前記上縁における長さ方向の他端側の一部に設けられた第２連結部とからなり、
前記第１連結部と前記第２連結部は、互いに離間して配置され、
さらに板状の摘まみ部を備え、該摘まみ部の一端側は、前記第１連結部に連結されると共に、前記摘まみ部の他端側は、前記第２連結部に連結されており、
前記摘まみ部を引っ張ることにより前記第１連結部および前記第２連結部が破断し得るものとなされ、これにより前記第１半体の上縁と前記第２半体の上縁との連結状態を解除し得るものとなされている前項１〜５のいずれか１項に記載の浄水器バンド部用ロック部材。
【００１７】
［７］前記第１連結部および前記第２連結部における第１半体側に該第１半体の上縁に沿ってそれぞれ複数個の第１微細孔が形成され、前記第１連結部および前記第２連結部における第２半体側に該第２半体の上縁に沿ってそれぞれ複数個の第２微細孔が形成されている前項６に記載の浄水器バンド部用ロック部材。
【００１８】
［８］前記第１半体および前記第２半体が、透明樹脂又は半透明樹脂で形成されている前項１〜７のいずれか１項に記載の浄水器バンド部用ロック部材。
【発明の効果】
【００１９】
［１］の発明では、上面が開放された第１ケースの底面に第１挿通孔が形成され、上面が開放された第２ケースの底面に第２挿通孔が形成され、第１ケースの一側壁の上縁と、第２ケースの一側壁の上縁とが連結部で枢着されて第１ケースと第２ケースとが該連結部を回動軸にして互いに回動可能となされた構成であるから、連結部を回動軸にして第１半体と第２半体とを互いの上面開放面を重ね合わせたときに、第１半体の第１係合部と第２半体の第２係合部とを離脱不能に係合することができ、従って、図１２に示すように、浄水器のハウジングの本体と蓋体とを連結して固定したバンド部の両端の連結箇所を、本発明のロック部材の第１半体と第２半体とで挟み込むと共にハウジングの回転操作用バーを第１挿通孔および第２挿通孔に挿通せしめた状態で第１係合部と第２係合部とを係合せしめることにより、回転操作用バーを回転操作できない状態でバンド部の連結箇所をロック状態にすることができてバンド部を開くことができないようにすることができる。
【００２０】
［２］の発明では、第１半体は、上面が開放された第１収容ケース部と、上面が開放された第１筒体半体部と、第１筒体半体部の底面に形成された第１挿通孔と、を備え、第２半体は、上面が開放された第２収容ケース部と、上面が開放された第２筒体半体部と、第２筒体半体部の底面に形成された第２挿通孔と、を備え、第１収容ケース部の一側壁の上縁と、第２収容ケース部の一側壁の上縁とが連結部で枢着されて第１収容ケース部と第２収容ケース部とが該連結部を回動軸にして互いに回動可能となされた構成であるから、連結部を回動軸にして第１半体と第２半体とを互いの上面開放面を重ね合わせたときに、第１係合部と第２係合部とを離脱不能に係合することができ、従って、図１２に示すように、浄水器のハウジングの本体と蓋体とを連結して固定したバンド部の両端の連結箇所を、本発明のロック部材の第１半体と第２半体とで挟み込むと共にハウジングの回転操作用バーを第１筒体半体部の第１挿通孔および第２筒体半体部の第２挿通孔に挿通せしめた状態で第１係合部と第２係合部とを係合せしめることにより、回転操作用バーを回転操作できない状態でバンド部の連結箇所をロック状態にすることができてバンド部を開くことができないようにすることができる。
【００２１】
［３］および［４］の発明では、浄水器のハウジングの本体と蓋体とを連結して固定したバンド部の両端の連結箇所を、ロック部材の第１半体と第２半体とで挟み込むと、第１係合部と第２係合部とが係合されると共に第３係合部と第４係合部とが係合され、このように少なくとも２箇所で係合できるので、バンド部の両端の連結箇所のロック状態をより安定化させることができる。
【００２２】
［５］の発明では、バンド部の連結箇所をロック状態にすることができてバンド部を開くことができないようにすることができる。
【００２３】
［６］の発明では、摘まみ部を引っ張ることにより第１連結部および第２連結部を破断することが可能となり、第１半体の上縁と第２半体の上縁との連結状態を解除することが可能となるので、何らかの理由で現場（浄水器が設置されている場所等）においてバンド部の連結箇所のロック状態を解除する必要が生じた等の場合にはロック状態の解除が可能となる。更に、第１連結部および第２連結部を破断させて一度ロック状態を解除してしまうと元のロック状態に戻すことはできないので、ロック状態が解除されたことを確実に把握することができる。従って、浄水器の使用現場において使用者がロック状態を解除してハウジングを開けたこと又は開けた可能性を否定できない状態にあることを確実に把握することができる。
【００２４】
［７］の発明では、第１、２連結部における第１半体側にそれぞれ複数個の第１微細孔が形成され、第１、２連結部における第２半体側にそれぞれ複数個の第２微細孔が形成されているので、バンド部の連結箇所のロック状態を解除する必要が生じた際の第１連結部および第２連結部の破断作業が容易化される。
【００２５】
［８］の発明では、ロック部材が透明樹脂又は半透明樹脂で形成されているので、本発明のロック部材が、バンド部の連結箇所をロックしていることを外観できるので（ロック部材の使用目的を使用者が容易に理解できるので）、使用者が、ロック部材の内部状態が見えないことにより発生しうる興味や好奇心等によりロック部材を開封してしまうようなことを十分に防止できる。
【図面の簡単な説明】
【００２６】
【図１】本発明に係る浄水器バンド部用ロック部材の一実施形態を展開状態で示す斜視図である。
【図２】同じく展開状態で示す上面図である。
【図３】同じく展開状態で示す底面図である。
【図４】図３におけるＸ−Ｘ線の断面図である。
【図５】図２におけるＹ−Ｙ線の断面図である。
【図６】図２におけるＺ−Ｚ線の断面図である。
【図７】図２における右側面図（ロック部材を展開状態で示す右側面図）である。
【図８】図２の展開状態での第１連結部（第２連結部）を拡大して示す上面図である。
【図９】図２におけるＶ−Ｖ線の断面図である。
【図１０】装着対象の浄水器ハウジングを構成部材に分離した状態で示す斜視図である。
【図１１】図１０の浄水器ハウジング内に浄水用カートリッジを装填して構成部材を組み付けて構成された浄水器を示す斜視図である。
【図１２】図１１の浄水器に本発明の浄水器バンド部用ロック部材を装着してロックした状態を示す図であり、（Ａ）は装着ロック状態での装着箇所及びその近傍を示す上面図、（Ｂ）は同側面図である。
【発明を実施するための形態】
【００２７】
本発明に係る浄水器バンド部用ロック部材の一実施形態を図面を参照しつつ説明する。本発明の浄水器バンド部用ロック部材１は、第１半体（第１部材）１１と、第２半体（第２部材）１２と、連結部（連結体）２と、を備えている（図１参照）。前記浄水器バンド部用ロック部材１は、全体が樹脂で形成されている。
【００２８】
前記第１半体１１は、第１収容ケース部１３と、第１筒体半体部１４とからなる第１ケース１６を備えてなる（図１〜３参照）。前記第１収容ケース部１３は、上面が開放された略直方体形状であり、前記第１筒体半体部１４は、円筒体がその軸線方向を含む面で２等分された半体形状である。前記第１収容ケース部１３の一側壁に前記第１筒体半体部１４が連接されており、前記第１収容ケース部１３の内部空間と、前記第１筒体半体部１４の内部空間とが連通されている（図１参照）。前記第１筒体半体部１４の底面における先端側（前記第１収容ケース部１３とは反対側）に第１挿通孔１５が形成されている。
【００２９】
前記第２半体１２は、第２収容ケース部２３と、第２筒体半体部２４とからなる第２ケース２６を備えてなる（図１〜３参照）。前記第２収容ケース部２３は、上面が開放された略直方体形状であり、前記第２筒体半体部２４は、円筒体がその軸線方向を含む面で２等分された半体形状である。前記第２収容ケース部２３の一側壁に前記第２筒体半体部２４が連接されており、前記第２収容ケース部２３の内部空間と、前記第２筒体半体部２４の内部空間とが連通されている（図１参照）。前記第２筒体半体部２４の底面における先端側（前記第２収容ケース部２３とは反対側）に第２挿通孔２５が形成されている。
【００３０】
前記第１収容ケース部１３の略直方体形状と、前記第２収容ケース部２３の略直方体形状とは、略同一形状、略同一大きさに形成されている。また、前記第１筒体半体部１４と前記第２筒体半体部２４とは、略同一形状、略同一大きさに形成されている。
【００３１】
前記第１収容ケース部１３の一側壁（前記第１筒体半体部１４と連接されている側壁と隣り合う側壁）の上縁と、前記第２収容ケース部２３の一側壁（前記第２筒体半体部２４と連接されている側壁と隣り合う側壁）の上縁とが、第１連結部４１及び第２連結部４２からなる連結部２で連結されている。そして、前記第１収容ケース部１３と前記第２収容ケース部２３とが、第１連結部４１及び第２連結部４２を回動軸（軸）にして互いに回動可能となされている。このような第１連結部４１及び第２連結部４２からなる連結部２を介した連結により、第１筒体半体部１４の軸線方向と第２筒体半体部２４の軸線方向とが平行状になっている（図１〜３参照）。また、連結部２を回動軸にして第１半体１１と第２半体１２とを互いの上面開放面を重ね合わせたときに、第１筒体半体部１４の第１挿通孔１５と、第２筒体半体部２４の第２挿通孔２５とが、筒体半体部の軸線方向における同じ位置で対峙するものとなる。
【００３２】
前記第１連結部４１は、前記第１収容ケース部１３の一側壁（第２収容ケース部２３に対峙する側壁）の上縁における長さ方向の一端側の一部と、前記第２収容ケース部２３の一側壁（第１収容ケース部１３に対峙する側壁）の上縁における長さ方向の同じ一端側の一部とを連結している。また、前記第２連結部４２は、前記第１収容ケース部１３の一側壁（第２収容ケース部２３に対峙する側壁）の上縁における長さ方向の他端側の一部と、前記第２収容ケース部２３の一側壁（第１収容ケース部１３に対峙する側壁）の上縁における長さ方向の同じ他端側の一部とを連結している。前記第１連結部４１と前記第２連結部４２とは離間して配置されている（図１〜４参照）。
【００３３】
さらに略板状の摘まみ部４３を備えており、この摘まみ部４３の一端側が、第１連結片４４を介して前記第１連結部４１に連結されると共に、前記摘まみ部４３の他端側が、第２連結片４５を介して前記第２連結部４２に連結されている（図４参照）。前記第１連結片４４は、第１収容ケース部１３および第２収容ケース部２３には直接に接続されておらず、前記第１連結片４４の一部が、前記第１連結部４１における後述する第１微細孔４６と第２微細孔４７の間の領域に接合され、前記第２連結片４５は、第１収容ケース部１３および第２収容ケース部２３には直接に接続されておらず、前記第２連結片４５の一部が、前記第２連結部４２における後述する第１微細孔４６と第２微細孔４７の間の領域に接合されている。前記摘まみ部４３は、第１収容ケース部１３および第２収容ケース部２３には直接に接続されておらず、摘まみ部４３における前記第１筒体半体部１４側の一部が、前記第２連結片４５の端部（第１連結片４４側の端部）に接合され、摘まみ部４３における前記第１筒体半体部１４側とは半体側の一部が、第１連結片４４の端部（第２連結片４５側の端部）に接合されている（図４参照）。
【００３４】
前記第１連結部４１における第１収容ケース部１３側に、該第１収容ケース部１３の上縁に沿って複数個の第１微細孔４６が形成されている。本実施形態では、前記第１連結部４１において前記第１微細孔４６が７個形成されている（図８参照）。
【００３５】
また、前記第１連結部４１における第２収容ケース部２３側に、該第２収容ケース部２３の上縁に沿って複数個の第２微細孔４７が形成されている。本実施形態では、前記第１連結部４１において前記第２微細孔４７が７個形成されている（図８参照）。
【００３６】
同様に、前記第２連結部４２における第１収容ケース部１３側に、該第１収容ケース部１３の上縁に沿って複数個の第１微細孔４６が形成されている。本実施形態では、前記第２連結部４２において前記第１微細孔４６が７個形成されている（図２、３、９参照）。
【００３７】
また、前記第２連結部４２における第２収容ケース部２３側に、該第２収容ケース部２３の上縁に沿って複数個の第２微細孔４７が形成されている。本実施形態では、前記第２連結部４２において前記第２微細孔４７が７個形成されている（図２、３、９参照）。
【００３８】
第１連結部４１および第２連結部４２のそれぞれに、このような複数個の第１微細孔４６および複数個の第２微細孔４７が形成されているので、浄水器のバンド部９４の連結箇所に上記浄水器バンド部用ロック部材１を装着してロックした状態において（図１２参照）、何らかの理由でロック状態を解除する必要が生じた場合、前記摘まみ部４３を外方に向けて（図１２（Ａ）で右方向に向けて）強く引っ張ることにより、第１連結部４１および第２連結部４２を破断させることができて、これにより、第１半体１１の上縁と第２半体１２の上縁との連結状態を解除できる（ロック状態を解除できてバンド部９４を開いてハウジング９１を本体９２と蓋体９３とに分離することができる）。
【００３９】
前記第１収容ケース部１３の一側壁（前記連結部２側とは反対側の側壁）は、その長さ方向の中央部を残して開放された構成になっている（図１〜３、６参照）。即ち、前記第１収容ケース部１３の底壁における前記連結部２側とは反対側の縁部の長さ方向の中央部から、横断面形状が略矩形状の扁平筒状部５１が立設され、前記扁平筒状部５１の内側側壁の内面の上部位置に係合突起からなる第１係合部３１が形成されている（図１〜３参照）。なお、前記扁平筒状部５１の両側にはそれぞれ凹部（空間）３５が設けられており、これら凹部３５は、浄水器のバンド部９４の連結箇所に浄水器バンド部用ロック部材１を装着する（挟み込む）際に、ハウジング９１のバンド部９４の第１突出片９４ａや第２突出片９４ｂを収容するための凹部である（図１２参照）。
【００４０】
一方、前記第２収容ケース部２３の一側壁（前記連結部２側とは反対側の側壁）は、その長さ方向の中央部を残して開放された構成になっている（図１〜３参照）。即ち、前記第２収容ケース部２３の底壁における前記連結部２側とは反対側の縁部の長さ方向の中央部から、略矩形状の板状体５２が立設され、前記板状体５２の上端（先端）に上方に突出するリング部からなる第２係合部３２が設けられている（図１〜３、６参照）。前記第２係合部３２は、前記前記第２収容ケース部２３の側壁の上縁よりも上方に突出している（図１、５、６、７参照）。なお、前記板状体５２の両側にはそれぞれ凹部（空間）３６が設けられており、これら凹部３６は、浄水器のバンド部９４の連結箇所に浄水器バンド部用ロック部材１を装着する（挟み込む）際に、ハウジング９１のバンド部９４の第１突出片９４ａや第２突出片９４ｂを収容するための凹部である（図１２参照）。
【００４１】
しかして、前記第１連結部４１および前記第２連結部４２を回動軸にして第１半体１１と第２半体１２とを回動させて第１半体１１の上面開放面と第２半体１２の上面開放面とを重ね合わせたときに（少し力を入れて重ね合わせたときに）、前記第２係合部３２が前記扁平筒状部５１の内部空間内に挿入されて該内部空間内において前記係合突起からなる第１係合部３１に係合されて、第１係合部３１と第２係合部３２とが離脱不能に係合される。
【００４２】
前記第１筒体半体部１４の先端（前記第１収容ケース部１３とは反対側）に略半円形状の第１半円板５３が接合され、該第１半円板５３の内面に横断面形状が略矩形状の扁平筒状部５４が接合され、前記扁平筒状部５４の内側側壁の内面の上部位置に係合突起からなる第３係合部３３が形成されている（図１〜３、５参照）。
【００４３】
一方、第２筒体半体部２４の先端（前記第２収容ケース部２３とは反対側）に略半円形状の第２半円板５５が接合され、該第２半円板５５の内面に板状体５６が接合され、前記板状体５６の上端（先端）に上方に突出するリング部からなる第４係合部３４が設けられている（図１〜３、５参照）。前記第４係合部３４は、前記第２半円板５５の上面より上方に突出している（図１、４、５、７参照）。
【００４４】
しかして、前記第１連結部４１および前記第２連結部４２を回動軸にして第１半体１１と第２半体１２とを回動させて第１半体１１の上面開放面と第２半体１２の上面開放面とを重ね合わせたときに（少し力を入れて重ね合わせたときに）、前記第４係合部３４が前記扁平筒状部５４の内部空間内に挿入されて該内部空間内において前記係合突起からなる第３係合部３３に係合されて、第３係合部３３と第４係合部３４とが離脱不能に係合される。
【００４５】
なお、本実施形態では、前記第２収容ケース部２３の底壁の外面に「検査済印」との表記がなされている（図３参照）。この表記が存在することにより、上記ロック部材１がバンド部９４に装着されてなる浄水器９０（図１２参照）が、工場等において高度に品質管理された環境下で構成されたものであってその封印が解除されることなく維持されたものであることを使用者がより強く認識することができる。
【００４６】
次に、本発明の浄水器バンド部用ロック部材１を浄水器９０のバンド部９４に装着してバンド部９４をロックする方法の一例について説明する。
【００４７】
まず、装着対象の浄水器９０について説明する。浄水器９０は、ハウジング９１と、該ハウジング９１内に収容される略円柱形状の浄水用カートリッジ（図示しない）と、を備える。
【００４８】
前記ハウジング９１は、図１０に示すように、ハウジング本体９２と、蓋体９３と、バンド部９４と、ボルト９６と、螺合締付用部材９７と、パッキン１００と、を備えている。前記ハウジング本体９２は、一端側が底壁で封じられた有底の略筒状体からなる。前記蓋体９３は、前記ハウジング本体９２の上側開放口に略適合状態に被せることのできる蓋体であって、その上面に送水口１０２および浄水出口１０３が設けられている（図１０参照）。
【００４９】
前記バンド部９４は、金属製の環状リングが略２等分された態様の第１分割リング９４Ｘおよび第２分割リング９４Ｙを備え、前記第１分割リング９４Ｘの一端と、前記第２分割リング９４Ｙの一端とが、小リング１０１を介して接続されて構成されている（図１０参照）。なお、図１０に示す状態では、前記バンド部９４はほぼ閉じた状態に近い状態にあるが、前記小リング１０１を介した接続構造により、第１分割リング９４Ｘの他端と第２分割リング９４Ｙの他端とを離間させてバンド部９４を開いた状態にすることも容易にできる。前記第１分割リング９４Ｘの他端部に第１突出片９４ａが突設形成され、第２分割リング９４Ｙの他端部に第２突出片９４ｂが突設形成されている（図１０参照）。
【００５０】
前記第１突出片９４ａに貫通孔９５が穿設され、前記第２突出片９４ｂにも貫通孔９５が穿設されている。前記ボルト９６は、前記貫通孔９５に挿通可能である。
【００５１】
前記螺合締付用部材９７は、管状本体部９８と、該管状本体部９８の一端側の位置に形成された貫通孔に挿通されて固定された回転操作用バー９９とを備えている（図１０参照）。前記管状本体部９８の内周面にねじ山が形成されており、該管状本体部９８は、前記ボルト９６のねじ山部の外面に螺合し得るものとなされている。
【００５２】
しかして、前記浄水器９０は、例えば次のようにして構成される。即ち、前記ハウジング本体９２の内部空間に前記浄水用カートリッジを収容すると共に、ハウジング本体９２の上部の開口部に前記パッキン１００を嵌めた後、このハウジング本体９２の上部の開口部に前記蓋体９３を適合状態に被せる。しかる後、前記ハウジング本体９２と前記蓋体９３とが重ね合わされた重ね合わせ箇所（パッキン１００を含む）の周囲部を前記バンド部９４で略拘束状態に覆い、この状態で第１突出片９４ａの貫通孔９５にボルト９６を挿通すると共に、挿通されて出てきたボルト９６のねじ山部の外面に、螺合締付用部材９７の管状本体部９８を螺合して被覆せしめ（図１０参照）、次いで螺合締付用部材９７の回転操作用バー９９を回転させることによって、前記バンド部９４の螺合締付を進め、こうして図１１に示すような浄水器９０を得る。
【００５３】
本発明の浄水器バンド部用ロック部材１を、上記図１１の浄水器９０のバンド部９４に装着してバンド部９４をロックするには、まず、図１に示す展開状態にあるロック部材１の第１半体１１の第１収容ケース部１３の板状体５１の両側の一対の凹部のうちの一方の凹部（第１筒体半体部１４に近い方の凹部）３５にバンド部９４の第２突出片９４ｂを収容すると共に、他方の凹部３５にバンド部９４の第１突出片９４ａを収容し、かつ第１筒体半体部１４の第１挿通孔１５内に螺合締付用部材９７の回転操作用バー９９を挿通せしめた状態にロック部材１（第１半体１１）を仮装着した後、展開状態にある第２半体１２を第１連結部４１および第２連結部４２を回動軸にして回動せしめて、第２半体１２の第２挿通孔２５内に前記回転操作用バー９９の他端側（上側）を挿通せしめ、さらに第２半体１２を回動せしめて、前記仮装着された第１半体１１の上面開放面に第２半体１２の上面開放面を少し力を入れて重ね合わせることによって、第１収容ケース部１３の第１係合部３１に第２収容ケース部２３の第２係合部３２を係合せしめると共に、第１筒体半体部１４の第３係合部３３に第２筒体半体部２４の第４係合部３４を係合せしめることにより、前記バンド部９４を本発明のロック部材１でロックする（図１２参照）。
【００５４】
図１２に示すロック状態では、ロック部材１の第１筒体半体部１４の第１挿通孔１５および第２筒体半体部２４の第２挿通孔２５に挿通された状態の回転操作用バー９９を回転させることはできないので、バンド部９４の螺合締付状態を解除することはできず、従ってハウジング９１を開けることはできない（ハウジング本体９２と蓋体９３とを分離させることはできない）。
【００５５】
何らかの理由で上記ロック状態を解除する必要が生じた場合には、摘まみ部４３を指で挟んで或いはペンチ等の道具で挟み付けて外方に向けて（図１２（Ａ）で右方向に向けて）強く引っ張ることにより、第１連結部４１および第２連結部４２を破断させることができるので、これにより、第１半体１１の上縁と第２半体１２の上縁との連結状態を解除できる（即ちロック状態を解除できてバンド部９４を開いてハウジング９１を本体９２と蓋体９３とに分離することができる）。
【産業上の利用可能性】
【００５６】
本発明の浄水器バンド部用ロック部材は、浄水器のハウジングの本体と蓋体とを連結して固定したバンド部の両端の連結箇所をロックしてバンド部を開くことができないようにするロック部材として用いられる。
【符号の説明】
【００５７】
１…浄水器バンド部用ロック部材
２…連結部（連結体）
１１…第１半体（第１部材）
１２…第２半体（第２部材）
１３…第１収容ケース部
１４…第１筒体半体部
１５…第１挿通孔
１６…第１ケース
２３…第２収容ケース部
２４…第２筒体半体部
２５…第２挿通孔
２６…第２ケース
３１…第１係合部
３２…第２係合部
３３…第３係合部
３４…第４係合部
４１…第１連結部
４２…第２連結部
４３…摘まみ部
４４…第１連結片
４５…第２連結片
４６…第１微細孔
４７…第２微細孔
【図１】
0006310897.tif 000002
【図２】
0006310897.tif 000003
【図３】
0006310897.tif 000004
【図４】
0006310897.tif 000005
【図５】
0006310897.tif 000006
【図６】
0006310897.tif 000007
【図７】
0006310897.tif 000008
【図８】
0006310897.tif 000009
【図９】
0006310897.tif 000010
【図１０】
0006310897.tif 000011
【図１１】
0006310897.tif 000012
【図１２】
0006310897.tif 000013